(57)【要約】【課題】  画像データの中から、簡単な操作により所望の画像データを検索することが可能な画像表示制御装置を提供する。【解決手段】  デジタルカメラ１００の使用者が、操作部を操作してデジタルカメラを再生モードに設定すると、表示部には画像１が表示される。この状態で、使用者が、操作（１）を繰り返し行っていくと、図３（ａ）に示すように、表示部には画像１→画像２→画像３→画像４→画像５→画像６→画像７の順に画像が切り替え表示される。図３（ａ）に示すように、表示部に画像２が表示されているときに使用者が操作（２）を行うと、４月に撮影された画像のうちの最初の画像４が表示部に表示される。ここで更に、使用者が操作（２）を行うと、５月に撮影された画像のうちの最初の画像６が表示部に表示される。画像４や画像６が表示部に表示された状態で使用者が操作（１）を行っていくと、画像４や画像６から順に画像が切り替え表示されていく。【選択図】  図３
2005086761.tif 000002
【特許請求の範囲】
【請求項１】
記録媒体に記録された画像データに基づく画像の表示を制御する画像表示制御装置であって、
前記記録媒体には、前記画像データに対応付けて当該画像データの撮影時点情報が記録されており、
表示すべき画像の切り替えを指示する第１の表示切り替え指示に応じて、次に表示すべき画像データとして、前記記録媒体への記録順序にしたがった画像データを選択し、前記表示すべき画像の切り替えを指示する第２の表示切り替え指示に応じて、前記次に表示すべき画像データとして、前記撮影時点情報に基づいて分類される複数の画像データ群のうちの、表示中の画像データを含む画像データ群とは異なる画像データ群に含まれる画像データを選択する表示画像選択手段を備える画像表示制御装置。
【請求項２】
請求項１記載の画像表示制御装置であって、
前記表示画像選択手段は、前記第２の表示切り替え指示に応じて、前記次に表示すべき画像データとして、前記複数の画像データ群のうちの、表示中の画像データを含む画像データ群とは異なる画像データ群に含まれる画像データのうち、前記記録媒体に最初又は最後に記録された画像データを選択するものである画像表示制御装置。
【請求項３】
請求項１又は２記載の画像表示制御装置であって、
前記表示画像選択手段は、前記第２の表示切り替え指示に応じて前記次に表示すべき画像データを選択した後、当該選択した画像データを含む画像データ群に含まれる画像データのみを、前記第１の表示切り替え指示に応じて選択する画像データの選択対象とするものである画像表示制御装置。
【請求項４】
請求項１〜３のいずれか記載の画像表示制御装置を備えるデジタルカメラ。
【請求項５】
コンピュータを、請求項１〜３のいずれか記載の画像表示制御装置として機能させるための画像表示制御プログラム。
【発明の詳細な説明】
【技術分野】
【０００１】
本発明は、記録媒体に記録された画像データに基づく画像の表示を制御する画像表示制御装置、デジタルカメラ、及び画像表示制御プログラムに関する。
【背景技術】
【０００２】
従来、記録媒体に記録された複数の撮影画像データから所望の撮影画像データを検索する技術として、例えば、特許文献１記載の撮影画像表示装置がある。この装置は、記憶媒体に記憶されている撮影画像データをその撮影日で分類しておき、分類した撮影画像データをカレンダに対応させて表示し、カレンダの中から指定された撮影日に含まれる撮影画像データに基づく画像を表示可能とするものである。この装置によれば、利用者がカレンダ表示の指示を行い、所望の日付を選択し、選択した日付に撮影された撮影画像データの中から所望の撮影画像データを検索することで、大量の撮影画像データの中から所望の撮影画像データを容易に検索することができる。
【特許文献１】特開平１１−２１５４５７号公報
【発明の開示】
【発明が解決しようとする課題】
【０００３】
しかしながら、特許文献１記載の装置では、所望の撮影画像データを検索するために、カレンダを表示させ、表示されたカレンダの中から所望の日付を選択して撮影画像データを検索するといった手順を踏まなければならず、その作業が面倒である。
【０００４】
本発明は、上記事情に鑑みて為されたものであり、簡単な操作により所望の画像を検索することが可能な画像表示制御装置、デジタルカメラ、及び画像表示制御プログラムを提供することを目的とする。
【課題を解決するための手段】
【０００５】
本発明の画像表示制御装置は、記録媒体に記録された画像データに基づく画像の表示を制御する画像表示制御装置であって、前記記録媒体には、前記画像データに対応付けて当該画像データの撮影時点情報が記録されており、表示すべき画像の切り替えを指示する第１の表示切り替え指示に応じて、次に表示すべき画像データとして、前記記録媒体への記録順序にしたがった画像データを選択し、前記表示すべき画像の切り替えを指示する第２の表示切り替え指示に応じて、前記次に表示すべき画像データとして、前記撮影時点情報に基づいて分類される複数の画像データ群のうちの、表示中の画像データを含む画像データ群とは異なる画像データ群に含まれる画像データを選択する表示画像選択手段を備える。
【０００６】
この構成により、第１の表示切り替え指示に応じて、次に表示すべき画像データを、画像データの記録媒体への記録順序にしたがった画像データに切り替えることができる。又、第２の表示切り替え指示に応じて、次に表示すべき画像データを、画像データの記録媒体への記録順序にしたがった画像データではなく、撮影時点情報に基づいて分類される複数の画像データ群（例えば、３月に撮影された画像データ群、４月に撮影された画像データ群、５月に撮影された画像データ群）のうち、表示中の画像データを含まない画像データ群に含まれる画像データに切り替えることができる。このため、例えば、第１の表示切り替え指示を行って記録媒体への記録順序で画像を確認しながら、第２の表示切り替え指示を行うといった簡単な作業により、３月に撮影された画像、４月に撮影された画像、５月に撮影された画像を順次切り替えて表示させていくことが可能となり、全ての画像を表示させることなく、所望の画像を検索することできる。
【０００７】
又、本発明の画像表示制御装置は、前記表示画像選択手段が、前記第２の表示切り替え指示に応じて、前記次に表示すべき画像データとして、前記複数の画像データ群のうちの、表示中の画像データを含む画像データ群とは異なる画像データ群に含まれる画像データのうち、前記記録媒体に最初又は最後に記録された画像データを選択するものである。
【０００８】
この構成により、第２の表示切り替え指示に応じて、例えば、４月に撮影された画像データ群に含まれる画像データのうち、記録媒体に最初又は最後に記録された画像データに基づく画像を表示させることができる。このため、利用者は、４月に撮影された画像データ群に含まれる画像データに基づく画像を、記録媒体に最初又は最後に記録されたものから順番に確認していくことができる。したがって、画像検索の利便性を向上させることができる。
【０００９】
又、本発明の画像表示制御装置は、前記表示画像選択手段が、前記第２の表示切り替え指示に応じて前記次に表示すべき画像データを選択した後、当該選択した画像データを含む画像データ群に含まれる画像データのみを、前記第１の表示切り替え指示に応じて選択する画像データの選択対象とするものである。
【００１０】
この構成により、第２の表示切り替え指示に応じて、例えば４月に撮影された画像を表示させた後は、第１の表示切り替え指示に応じて、４月に撮影された画像だけを順次切り替え表示させることができる。このため、利用者は、第２の表示切り替え指示を行って、所望の月に撮影された画像を表示させた後、第１の表示切り替え指示を行って、その月に撮影された画像のみを順次切り替え表示させていくことができる。したがって、画像検索の利便性を向上させることができる。
【発明の効果】
【００１１】
本発明によれば、簡単な操作により所望の画像を検索することが可能な画像表示制御装置、デジタルカメラ、及び画像表示制御プログラムを提供することができる。
【発明を実施するための最良の形態】
【００１２】
図１は、本発明を実施するための最良の形態を説明するための画像表示制御装置を搭載するデジタルカメラの概略構成を示す図である。
【００１３】
デジタルカメラ１００は、操作部１１と、記録媒体１２と、撮影処理部１３と、表示部１４と、内部メモリ１５と、制御部１６とを備える。
【００１４】
操作部１１は、デジタルカメラ１００使用時の各種操作を行うもので、デジタルカメラ１００の動作モード（撮影モード、再生モード等）、撮影時の撮影方法、撮影条件、及び設定等を行う。操作部１１は、例えば、十字キーやボタン、ジョグダイヤル等から構成される。操作部１１を操作することにより、その指示が制御部１６に伝わり、制御部１６が各種動作を行う。
【００１５】
記録媒体１２は、デジタルカメラ１００本体に着脱可能な、例えば、スマートメディア（登録商標）やコンパクトフラッシュ（登録商標）、ＳＤメモリカード（登録商標）等のリムーバブルメディアであり、デジタルカメラ１００で撮影された複数の画像データが記憶される。尚、記憶媒体１２はリムーバブルメディアに限らず、デジタルカメラ１００本体に内蔵されたフラッシュメモリ等からなるメモリであってもよい。
【００１６】
図２は、記録媒体１２のファイル構成例を示す図である。
【００１７】
同図に示すように、記録媒体１２には、ファイル名１〜７までの画像データと共に、その画像データの撮影時点情報（例えば、撮影日時等）が対応付けて記録されている。ファイル名１〜３は３月に撮影されたもの、ファイル名４、５は４月に撮影されたもの、ファイル名６、７は５月に撮影されたものである。以下では、ファイル名１〜７の画像データに基づく画像を、それぞれ画像１〜７と呼ぶことにする。
【００１８】
撮影処理部１３は、撮像レンズ、絞り機構、及びオートフォーカス機構等を備えた光学系と、ＣＣＤ等の固体撮像素子と、信号処理部とを備え、光学系を介してＣＣＤに結像された被写体像を電気信号に変換し、その電気信号に所定の信号処理を施して画像データを生成する。ここで生成された画像データは、その撮影された順に、その撮影時点情報とともに記録媒体１２に記録される。
【００１９】
表示部１４は、例えばＬＣＤ表示装置を含んで構成され、記録媒体１２に記録された画像データに基づく画像を表示する。また、撮影時のスルー画像、デジタルカメラ１００の各種状態、操作に関する情報の表示等も可能である。
【００２０】
内部メモリ１５は、例えばＤＲＡＭであり、撮影処理部１３や制御部１６のワークメモリとして利用される他、記録媒体１２に記録される画像データを一時的に記憶するバッファメモリや表示部１４への表示用画像データのバッファメモリとしても利用される。
【００２１】
制御部１６は、図示しないＲＯＭに記録されている所定のプログラムによって動作するプロセッサを主体に構成され、各部を統括制御する。制御部１６は、記録媒体１２に記録された画像データに基づく画像の表示部１４への表示を制御する。
【００２２】
制御部１６は、表示部１４に表示すべき画像の切り替えを指示する第１の表示切り替え指示（例えば、十字キーの左又は右への１回押下操作）に応じて、次に表示すべき画像データとして、記録媒体１２への記録順序にしたがった画像データを選択し、表示すべき画像の切り替えを指示する第２の表示切り替え指示（例えば、十字キーの左又は右方向への長押し操作）に応じて、次に表示すべき画像データとして、撮影時点情報に基づいて分類される複数の画像データ群のうちの、表示部１４に表示中の画像データを含む画像データ群とは異なる画像データ群に含まれる画像データを選択する。
【００２３】
例えば、制御部１６は、第２の表示切り替え指示に応じて、記録媒体１２に記録されている画像データを撮影日で分類し、分類した結果得られる画像データ群（３月〜５月に撮影された画像データ群）の中から、第２の表示切り替え指示が行われた時点で表示部１４に表示中の画像データを含む画像データ群とは異なる画像データ群を選択し、選択した画像データ群に含まれる画像データのうち、記録媒体１２に最初又は最後に記録された画像データを選択する。尚、画像データが予め撮影日で分類された状態で記録媒体１２に記録されている場合には、制御部１６は、上記分類を行う必要はない。
【００２４】
制御部１６は、上記選択する画像データ群を、第２の表示切り替え指示があった時点で表示部１４に表示されている画像の撮影日時に応じて新しい撮影月のものに順次変更していく。例えば、第２の表示切り替え指示があった時点で表示部１４に表示されている画像が３月に撮影されたものである場合、制御部１６は、４月に撮影された画像データ群を選択する。又、第２の表示切り替え指示があった時点で表示部１４に表示されている画像が４月に撮影されたものである場合、制御部１６は、５月に撮影された画像データ群を選択する。
【００２５】
一方、上記とは逆順に画像の表示切り替えを行う場合、制御部１６は、上記選択する画像データ群を古い撮影月のものに順次変更していく。例えば、第２の表示切り替え指示があった時点で表示部１４に表示されている画像が５月に撮影されたものである場合、制御部１６は、４月に撮影された画像データ群を選択する。又、第２の表示切り替え指示があった時点で表示部１４に表示されている画像が４月に撮影されたものである場合、制御部１６は、３月に撮影された画像データ群を選択する。
【００２６】
以下、デジタルカメラ１００の動作について、表示部１４の画面遷移を示す図を用いて説明する。
【００２７】
図３は、本発明を実施するための最良の形態を説明するためのデジタルカメラの表示部の画面遷移を示す図であり、（ａ）は記録媒体１２への記録順に画像を切り替え表示させるときの画面遷移を示す図、（ｂ）は記録媒体１２への記録順とは逆順に画像を切り替え表示させるときの画面遷移を示す図である。
【００２８】
図３において、符号（１）は、十字キーの右を１回押下する操作を表わす。符号（２）は、十字キーの右を長押しする操作を表す。符号（３）は、十字キーの左を１回押下する操作を表す。符号（４）は、十字キーの左を長押しする操作を表す。図３では、符号（１）〜（４）の操作が行われたときの画面遷移の流れを矢印で示してある。
【００２９】
デジタルカメラ１００の使用者が、操作部１１を操作してデジタルカメラ１００を再生モードに設定すると、表示部１４には画像１が表示される。この状態で、使用者が、操作（１）を繰り返し行っていくと、図３（ａ）に示すように、表示部１４には画像１→画像２→画像３→画像４→画像５→画像６→画像７の順に画像が切り替え表示される。
【００３０】
図３（ａ）に示すように、表示部１４に画像２が表示されているときに使用者が操作（２）を行うと、４月に撮影された画像のうちの最初の画像４が表示部１４に表示される。ここで更に、使用者が操作（２）を行うと、５月に撮影された画像のうちの最初の画像６が表示部１４に表示される。画像４や画像６が表示部１４に表示された状態で使用者が操作（１）を行っていくと、画像４や画像６から順に画像が切り替え表示されていく。
【００３１】
又、デジタルカメラ１００の使用者が、画像７を表示部１４に表示させた状態から、操作（１）とは逆向きの操作（３）を繰り返し行っていくと、図３（ｂ）に示すように、表示部１４には画像７→画像６→画像５→画像４→画像３→画像２→画像１の順に画像が切り替え表示される。
【００３２】
図３（ｂ）に示すように、表示部１４に画像７が表示されているときに使用者が操作（４）を行うと、４月に撮影された画像のうちの最後の画像５が表示部１４に表示される。ここで更に、操作（４）を行うと、３月に撮影された画像のうちの最後の画像３が表示部１４に表示される。画像５や画像３が表示部１４に表示された状態で使用者が操作（３）を行うと、画像５や画像３から順に画像が切り替え表示されていく。
【００３３】
以上のようにデジタルカメラ１００によれば、図３（ａ）のように、使用者が、十字キーの右を押下して画像を順次確認しながら、ある画像の表示中に十字キーの右長押しを行うといった簡単な作業により、途中の画像をスキップして、３月中に撮影された画像、４月中に撮影された画像、５月中に撮影された画像を順次確認していくことができ、全ての画像を表示部１４に表示させることなく、所望の画像を検索することできる。
【００３４】
又、記録媒体１２への記録順に画像を表示させていく場合、図３（ａ）に示すように、画像２の表示中に操作（２）を行うと、現在表示されていた画像の撮影月（３月）よりも新しい撮影月（４月）の画像の最初の画像が表示部１４に表示される。このため、使用者は、４月に撮影された画像を最初から確認していくことができる。
【００３５】
又、記録媒体１２への記録順とは逆順に画像を表示させていく場合、図３（ｂ）に示すように、使用者が、画像７の表示中に操作（４）を行うと、現在表示されていた画像の撮影月（５月）よりも古い撮影月（４月）の画像の最後の画像が表示部１４に表示される。逆順に画像を表示させていく場合に、操作（４）により表示部１４に表示される画像が、４月に撮影された画像の最初の画像であるとすると、使用者は、十字キーを左に押下していくという操作を行っていたのにも関わらず、４月に撮影された画像を確認するためには十字キーを右に押下していかなくてはならず、操作性が悪くなる。ところが、デジタルカメラ１００によれば、このような操作性の悪化を防ぐことができる。
【００３６】
尚、本実施形態のデジタルカメラ１００において、操作（２）や（４）がなされた場合には、制御部１６が、上記選択した画像データ群に含まれる画像データに基づく画像のみを、操作（１）や（３）に応じて順次切り替え表示させるようにしても良い。
【００３７】
例えば、図３（ａ）において、操作（２）により画像４が表示された後は、操作（１）が行われる度に、画像４→画像５→画像４→画像５→画像４→・・・といった具合に、制御部１６が選択した画像データ群内だけで画像の表示を行わせる。このようにすることで、例えば、４月に撮影された画像を、操作（１）を行って順次切り替え表示させていくうちに、突然、５月に撮影された画像に表示が切り替わってしまうといったことを防ぐことができる。このため、所望の撮影月の画像だけを順次確認していきたいような場合に有用となる。
【００３８】
又、本実施形態では、十字キーの操作により第１の表示切り替え指示及び第２の表示切り替え指示を行うようにしているが、例えば、表示部１４に表示する各画像にメニューアイコンを表示させて、そのメニューアイコンを使用者が選択することにより、第１の表示切り替え指示及び第２の表示切り替え指示を行うことができるようにしても良い。
【００３９】
又、本実施形態では、使用者からの第１の表示切り替え指示及び第２の表示切り替え指示に応じて画像を切り替え表示させるようにしているが、スライドショーのように、所定時間おきに自動で画像を切り替え表示させる場合でも、上述した内容を適用することが可能である。この場合は、第１の表示切り替え指示を自動で所定時間おきに制御部１６に入力し、制御部１６が、入力された指示に応じて表示制御を行うようにすれば良い。
【図面の簡単な説明】
【００４０】
【図１】本発明を実施するための最良の形態を説明するための画像表示制御装置を搭載するデジタルカメラの概略構成を示す図
【図２】本発明を実施するための最良の形態を説明するための画像表示制御装置を搭載するデジタルカメラの記録媒体のファイル構成例を示す図
【図３】本発明を実施するための最良の形態を説明するためのデジタルカメラの表示部の画面遷移を示す図であり、（ａ）は記録媒体への記録順に画像を切り替え表示させるときの画面遷移を示す図、（ｂ）は記録媒体への記録順とは逆順に画像を切り替え表示させるときの画面遷移を示す図
【符号の説明】
【００４１】
１００  デジタルカメラ
１１  操作部
１２  記録媒体
１３  撮影処理部
１４  表示部
１５  内部メモリ
１６  制御部
【図１】
2005086761.tif 000003
【図２】
2005086761.tif 000004
【図３】
2005086761.tif 000005